(57)【要約】【課題】電子スチルカメラではＣＣＤ上に付着したゴミが撮影された画像に写りこむことが問題である。特にレンズ交換式カメラやフォーカルプレーン、クイックリターンミラーなどＣＣＤの前に稼動部を持つカメラは、ゴミが混入しやすくＣＣＤ上にゴミが付着しやすい。【解決手段】光画像を光電変換素子によって電気画像信号に変換する手段と、記憶媒体と、該電気画像信号を該記憶媒体に記憶する手段とシャッタースピード制御手段と絞り制御手段と、センサー上のごみの存在や大きさを検出する手段を持つカメラにおいて、該ごみ検出手段の検出結果と該測光手段の出力に基づいて、適正露出が得れるシャッタースピードと絞り値を演算する手段を持つことを特徴とするカメラ。【選択図】      図１
2006157407.tif 000002
【特許請求の範囲】
【請求項１】
光画像を光電変換素子によって電気画像信号に変換する手段と、記憶媒体と、該電気画像信号を該記憶媒体に記憶する手段とシャッタースピード制御手段と絞り制御手段と、センサー上のごみの存在や大きさを検出する手段を持つカメラにおいて、該ごみ検出手段の検出結果と該測光手段の出力に基づいて、適正露出が得れるシャッタースピードと絞り値を演算する手段を持つことを特徴とするカメラ。
【請求項２】
請求項１記載のカメラにおいて、ごみの大きさに見合った絞り値が演算上設定できないときは、警告を出すことを特徴とするカメラ。
【請求項３】
請求項１記載のカメラにおいて、ごみの大きさに見合った絞り値が演算上設定できない場合は、自動でＩＳＯ感度を切り替えることを特徴とするカメラ。
【発明の詳細な説明】
【技術分野】
【０００１】
本発明はレンズ交換可能で、撮像素子にごみが付着した場合、画像にそのごみが写りこむということが問題となる電子スチルカメラに関するもの。
【背景技術】
【０００２】
従来、レンズ交換可能で、フォーカルプレーンシャッターを用いた電子スチルカメラでは、撮像素子にごみが付着しないようにするために、ミラーボックスを密封構造にするというものや、フィルター上のごみを超音波振動で落とすというものが提案され製品化されている。
【特許文献１】特開２０００−２４１８７３号公報
【特許文献２】特開平０７−１５１９４６号公報
【発明の開示】
【発明が解決しようとする課題】
【０００３】
レンズ交換可能で、フォーカルプレーンシャッターを用いた電子スチルカメラでは、撮像素子にごみが付着しないようにするために、ミラーボックスを密封構造にしても、メカごみにあたるフォーカルプレーンシャッターから出るシャッターのカスは防ぐことはできない。また、フィルター上のごみを超音波振動で落とすというものは、コストが高くつく。
【課題を解決するための手段】
【０００４】
この発明は下記の構成を備えることにより上記課題を解決できるものである。
【０００５】
（１）光画像を光電変換素子によって電気画像信号に変換する手段と、記憶媒体と、該電気画像信号を該記憶媒体に記憶する手段とシャッタースピード制御手段と絞り制御手段と、センサー上のごみの存在や大きさを検出する手段を持つカメラにおいて、該ごみ検出手段の検出結果と該測光手段の出力に基づいて、適正露出が得れるシャッタースピードと絞り値を演算する手段を持つことを特徴とするカメラ。
【０００６】
（２）前記（１）記載のカメラにおいて、ごみの大きさに見合った絞り値が演算上設定できないときは、警告を出すことを特徴としたカメラ。
【０００７】
（３）前記（１）記載のカメラにおいて、ごみの大きさに見合った絞り値が演算上設定できない場合は、自動でＩＳＯ感度を切り替えることを特徴としたカメラ。
【発明の効果】
【０００８】
本発明によれば、本実施例を用いることで、撮像素子にごみが付着している状態で撮影してしまっても、自動でごみの写り込みが目立たない絞り値で撮影されるので、撮影後に、撮影者が、撮影された画像を拡大表示し、ごみが写りこんでいることに後になって気づきがっかりすることが軽減される。
【発明を実施するための最良の形態】
【０００９】
以下本発明を実施するための最良の形態を、実施例により詳しく説明する。
【実施例１】
【００１０】
本実施例では、ごみ検出手段の検出結果と測光手段の出力に基づいて、適正露出が得れるシャッタースピードとごみの写り込みが目立たない絞り値を演算する実施例を提案し、説明する。
【００１１】
図２は、本発明を実施したカメラの簡単なブロック図である。
【００１２】
１は交換可能な撮影レンズである。本レンズとはマイクロコンピュータ１６と通信し、内部のＡＦ（オートフォーカス）レンズ駆動回路部は、例えばステッピングモータによって構成され、マイクロコンピュータ１６の制御によってレンズ１内のフォーカスレンズ位置を変化させることによりピントを合わせる。フォーカス演算に用いるデフォーカス量は、ＡＦセンサー２４の出力を用いて演算する。また、レンズ１内には絞り駆動回路部があり、マイクロコンピュータ１６の制御によって光学的な絞り値を変化させる。
【００１３】
２はクイックリターンミラーで、露光の際にマイクロコンピュータ１６の指示で不図示のアクチュエーターによりアップダウンする。また、本ミラーにはＡＦ光学系に光を導くためハーフミラーで構成され、サブミラーも連動する。
【００１４】
３は、フォーカッシングスクリーンで、撮影者は４のペンタプリズムとファインダー光学系を通して該フォーカシングスクリーンを観察することで、交換レンズ１を通して得た象のピントや構図の確認が可能となる。
【００１５】
５は、フォーカルプレーンシャッターで、マイクロコンピュータ１６の制御でＣＣＤの露光時間を自由に制御できる。フォーカルプレーンシャッターは一般的には先幕、後幕から構成され、２枚の幕の間隔で自由な露光時間が制御される。
【００１６】
撮像素子部６としてはＣＣＤ等が用いられ、光学的レンズ１によってその撮像素子上に結像されたフィルム像を光電変換して電気信号として取り出す。
【００１７】
クランプ／ＣＤＳ回路７やＡＧＣ８はＡ／Ｄ変換をする前の基本的アナログ処理を行う。マイクロコンピュータ１６により、クランプレベルやＡＧＣ基準レベルの変更も可能である。
【００１８】
Ａ／Ｄ変換部９はアナログのＣＣＤ出力信号をデジタル信号に変換する。この際、設定されているＩＳＯ感度に応じた、変換を行う。
【００１９】
映像信号処理回路１０は、デジタル化されたＣＣＤ画像データに、フィルター処理、色変換処理、ガンマー／ニー処理を行い、メモリーコントローラ１３に出力する。他方、この映像信号処理回路はＤＡ変換にも内蔵されており、ＣＣＤ６から入力される映像信号や、メモリーコントローラ１３から逆に入力される画像データをアナログ信号に変換し、液晶駆動回路１１を通して液晶モニタ１２に出力することも可能である。これらの機能切り替えはマイクロコンピュータ１６とのデータ交換により行われ、ホワイトバランス情報をマイクロコンピュータ１６に出力可能である。その情報を基にマイクロコンピュータ１６はホワイトバランス調整を行う。
【００２０】
また、マイクロコンピュータ１６の指示により、何もせずに１３のメモリーコントローラを通して１９のバッファーメモリーに画像データを保存することも可能である。また、映像信号処理回路はＪＰＥＧなどの圧縮処理する機能も入っている。連写の場合は一旦、バッファーメモリーに撮影データを格納し、処理時間がある場合にメモリーコントローラ１３を通して未処理の画像データを読み出し、１３の映像信号処理回路で画像処理や圧縮処理を行い連写スピードを稼ぐ。連写枚数は、バッファーメモリーの大きさに大きく左右される。
【００２１】
また、マイクロコンピュータ１６は撮影前に設定されているＩＳＯ感度、画像サイズ、画質応じた、画像サイズの予測値データをもとに、メモリーコントロール１３を通して、メモリーの容量を確認し比較し、撮影可能残数を演算し、表示部材に表示する。
【００２２】
メモリーコントロール１３では、映像信号処理回路１０から入力された未処理のデジタル画像データをバッファーメモリー１９に格納し、処理済みのデジタル画像をメモリー１４に格納したり、逆にバッファーメモリー１９やメモリー１４から画像データを映像信号処理回路部１０に出力したりする。また、本コントローラは、外部インターフェース１５から送られてくる映像をメモリー１４に記憶したり、メモリー１４に記憶されている画像を外部インターフェース１５から出力可能である。メモリー１４は取り外し自由である場合もある。
【００２３】
電源部１７は、各ＩＣや駆動系に必要な電源を供給する。
【００２４】
操作部材１８は、マイクロコンピュータ１６に操作部材の状態を伝え、マイクロコンピュータ１６はその操作部材の変化に応じて各部をコントロールする。
【００２５】
２０はレリーズ釦であり、操作部材１８の入力スイッチである。２０（ａ）のＳＷ１のみオンの状態はレリーズ釦半押し状態であり、２０（ａ）のＳＷ１、２０（ｂ）のＳＷ２が共にオンの場合は、レリーズ釦オン状態で撮影が行われる。
【００２６】
１８の操作部材には、２０のほかに、ＩＳＯ設定釦、画像サイズ設定釦、画質設定釦、情報表示釦など不図示のスイッチがつながっており、スイッチの状態が検出されている。
【００２７】
２１は液晶駆動回路であり、マイクロコンピュータ１６の表示内容命令に従って、２２の外部液晶表示や２３のファインダー内液晶表示を駆動する。また、２３のファインダー内の液晶表示には、不図示のＬＥＤなどのバックライトが配置されており、そのＬＥＤも２１の液晶駆動回路で駆動される。
【００２８】
２４はＡＦセンサーでマイクロコンピュータにデフォーカス情報を出力し、それに基づいて交換レンズ１に通信し、内部のＡＦレンズ駆動回路を用いてピントを合わせる。
【００２９】
２５はＡＥセンサーで、ファインダースクリーン上を測光し、交換レンズ１を通した被写体の輝度を測光する。
【００３０】
次に図３のフロー図を用いて、本実施例で用いるカメラの動作について説明する。
【００３１】
（３００）：始め。
【００３２】
（３０１）：ここで、電源ＯＦＦタイマーがタイムアウトしたかどうかの判定を行い、タイムアウトと判定された場合は電源ＯＦＦの処理のために（３２０）に進む。タイムアウトされてない場合は（３０２）に進む。
【００３３】
（３０２）：ここでは、各種の設定を行う、操作部材１８の入力により、カメラのモードなどの各種の設定を行う。撮影モード等の設定もここで行う。
【００３４】
（３０３）：２５の測光センサーを用いて被写体の輝度を測定し、適正露出を得るためのシャッター秒時や絞り値を演算する。
【００３５】
（３０４）：２４のＡＦセンサーを用いて被写体のデフォーカスを検知する。
【００３６】
（３０５）：（３０２）で設定した状態や、各種の設定状態を、外部液晶表示部材２２などに表示する。また、（３０２）で設定された、ＩＳＯ感度、画像サイズ、画質に応じた、画像サイズの予測値データをもとに、メモリーコントローラ１３を通して、メモリーの容量を確認し比較し、撮影可能残数を演算し、表示部材に表示する。また、（３０２）で検出されたピントの状態や（３０３）で演算されたシャッター秒時や絞り値を表示部材に表示する。
【００３７】
（３０６）：ここでは２０のレリーズ釦が半押し状態かどうかの判定を行い、２０（ａ）のみオンの半押し状態の場合はタイマー更新のために（３０７）に進み、全く押されてない（２０（ａ）も２０（ｂ）も押されていない状態）では（３０１）進む。
【００３８】
（３０７）：ここでは、電源ＯＦＦタイマーの更新を行う。
【００３９】
（３０８）：ここではレリーズが可能状態であり、かつ、レリーズ釦が完全に押された（２０（ａ）と２０（ｂ））が同時にオン状態）になったかどうかの判定を行い、完全に押された状態の場合は画像を撮影するために、（３０９）に進み、押されてない場合は（３０１）に戻る。
【００４０】
（３０９）：２のクイックリターンミラーを制御し、ミラーをアップ状態にするとともに、交換レンズに通信し、（３０３）で演算された絞り値にレンズの絞りを制御する。
【００４１】
（３１０）：５のフォーカルプレーンシャッターにより、（３０３）で演算されたシャッター時間を制御し、ＣＣＤ６の画像を７，８，９の回路により取り込む。
【００４２】
（３１１）：２のクイックリターンミラーを制御し、ミラーをダウン状態に戻し、ともに交換レンズに通信し、レンズの絞りを開放状態に制御する。
【００４３】
（３１２）：ＡＧＣ８に設定されたＩＳＯ値に対するゲイン値を送り、感度調整し、メモリーコントロール１３に画像信号を送り、１９のバッファーメモリーに画像を一時保管する。
【００４４】
（３１３）：映像信号処理回路１０の出力であるホワイトバランス情報を基に、適正な色になるように、映像信号処理回路１０で用いるＲとＢのゲインとを演算決定し制御する。
【００４５】
（３１４）：１９のバッファーメモリーに格納された未処理の画像を１０の映像信号処理回路の負荷が画像処理できるレベルであるときに処理し、圧縮し、１４のメモリーに格納する動作をスタートする。連写等の場合は、１９のバッファーメモリーに画像がどんどん格納されるが、画像処理は停止した状態になることもある。
【００４６】
（３１５）：撮影可能枚数の算出を行う。
【００４７】
（３１６）：（３１４）で処理された画像信号を１１の液晶駆動回路に送り、液晶表示１２に表示する。また、（３０３）（３０４）（３１５）で決定した撮影情報を２１の液晶駆動回路に送り、外部液晶表示２２やファインダー内液晶表示２３に表示する。
【００４８】
（３１７）：過去に撮影された画像と比較行い、同じ個所に同じ大きさのある輝度レベル以下のものが存在するかを検出し、画面に対する大きさも検出する。
【００４９】
（３１８）：１４のメモリーに記憶可能な領域が存在するかどうかの判定と未処理のバッファーメモリー１９上の画像も考慮して判定を元に、撮影可能であるか、どうかの判定を行い、撮影可能である場合は、（３０１）に進み、撮影可能でない場合は、警告表示を出すために（３１９）に進む。
【００５０】
（３１９）：（３１８）で撮影不可能状態である判定されたことの情報を表示する。
【００５１】
（３２０）：１１の液晶駆動回路により、１２の液晶表示を消灯し、２３の液晶表示のバックライトも消灯する。
【００５２】
（３２１）：（３１４）でスタートした、画像処理と圧縮とメモリー格納がすべて終了し、１９のバッファーメモリーが空になるのを待つ。
【００５３】
（３２２）：１７の電源回路に指示を出し、必要無い電源は落とす。
【００５４】
（３２３）：終わり。
【００５５】
次に図１のプログラム線図を用いて本実施例の特徴を説明する。
【００５６】
図１は、図３の３０３部分に関係し、明るさにより選択されるシャッタースピードと絞りの組み合わせを示したプログラムＡＥの線図である。３１７のごみ検出の出力により、大きなゴミが検出されるにしたがって、選択される絞り値が明るくなりことを示し、被写界深度が浅くなることで、ゴミの写りこみを緩和するように機能する。本プログラム線図は一例で、実際はＣＣＤのピント位置とゴミの付着するフィルター表面までの距離やゴミの大きさによる影響を加味して、絞り値を決定し、可能な限りこの絞り値より絞り込まないように線図を決定していく。
【実施例２】
【００５７】
本実施例では第一の実施例に示したプログラム線図において、ゴミの影響が少ないと想定した絞り値が被写体輝度が明るく、適正露出を得るためには選択できない場合に警告を出すという実施例を図４のフロー図を用いて説明する。
【００５８】
（４００）：始め。
【００５９】
（４０１）：（３１７）のゴミ検出実行。
【００６０】
（４０２）：（４０１）でゴミが検出された場合は、その中で１番大きいゴミの大きさからＣＣＤのピント位置とゴミの付着するフィルター表面までの距離を加味して、被写界深度外で写り込みが目立たない最小絞りを決定する。
【００６１】
（４０３）：（３０３）で２５の測光センサーを用いて測光する。
【００６２】
（４０４）：（４０３）での測光結果と（４０２）で決定した絞り値を元に適正露出を得るためのシャッター秒時と絞り値を決定する。
【００６３】
（４０５）：（４０４）で決定した絞り値が（４０２）で決定した絞り値よりも小絞りである場合は、表示部材に警告表示（例えば、「ＧＯＭＩ」というマークのセグメントを表示部材に用意して点滅表示する。）を出す。
【００６４】
（４０６）：終わり。
【実施例３】
【００６５】
本実施例では第一の実施例に示したプログラム線図において、ゴミの影響が少ないと想定した絞り値が被写体輝度が明るく、適正露出を得るためには選択できない場合に自動でＩＳＯ感度を下げるという実施例を図５のフロー図を用いて説明する。
【００６６】
（５００）：始め。
【００６７】
（５０１）：（３１７）のゴミ検出実行。
【００６８】
（５０２）：（５０１）でゴミが検出された場合は、その中で１番大きいゴミの大きさからＣＣＤのピント位置とゴミの付着するフィルター表面までの距離を加味して、被写界深度外で写り込みが目立たない最小絞りを決定する。
【００６９】
（５０３）：（３０３）で２５の測光センサーを用いて測光する。
【００７０】
（５０４）：（５０３）での測光結果と（５０２）で決定した絞り値を元に適正露出を得るためのシャッター秒時と絞り値を決定する。
【００７１】
（５０５）：（５０４）で決定した絞り値が（５０２）で決定した絞り値よりも小絞りである場合は、可能な限り（画質が極端に落ちない範囲で）（５０２）で決定した絞り値に近づくようなＩＳＯ感度を決定する。
【００７２】
（５０６）：（５０５）で決定したＩＳＯ感度を元にシャッター秒時と絞り値を再計算する。
【００７３】
（５０７）：終わり。
【００７４】
以上のフローを具体的な数値で説明する。
【００７５】
（５０２）で（５０１）で検出されたゴミが目立たない絞り値がＦ５．６であると算出されたとする。また、ＩＳＯ感度は現在ＩＳＯ１００が設定されているとする。ここで（５０３）の測光センサーの測光結果は最高秒時１／１０００でもＦ５．６では１段アンダーになってしまうという結果が出た場合はＩＳＯ感度を自動でＩＳＯ２００に設定し、１／１０００、Ｆ５．６で撮影する。
【００７６】
また、同じ測光結果で、ゴミの大きさから決定した絞り値がＦ２．８でＩＳＯ感度はＩＳＯ４００までしか自動で上げることができない場合は、１／１０００、Ｆ４．０、ＩＳＯ４００で撮影する。
【図面の簡単な説明】
【００７７】
【図１】第１の実施例のプログラム線図
【図２】本実施例のブロック図
【図３】カメラ動作を示すフロー図
【図４】第２の実施例を示すフロー図
【図５】第３の実施例を示すフロー図
【符号の説明】
【００７８】
１  交換可能撮影レンズ
２  クイックリターンミラー
３  ファインダースクリーン
４  ペンタプリズム
５  フォーカルプレーンシャッター
６  ＣＣＤ
７  クランプＣＤＳ
８  ＡＧＣ
９  Ａ／Ｄ変換
１０  映像信号処理回路
１１  液晶駆動回路
１２  液晶表示部材
１３  メモリーコントロール
１４  メモリー
１５  外部インターフェース
１６  マイクロコンピュータ
１７  電源
１８  操作部材
１９  バッファーメモリー
２０  レリーズ釦
２１  液晶駆動回路
２２  外部液晶表示
２３  ファインダー内液晶表示
２４  ＡＦセンサー
２５  ＡＥセンサー
【図１】
2006157407.tif 000003
【図２】
2006157407.tif 000004
【図３】
2006157407.tif 000005
【図４】
2006157407.tif 000006
【図５】
2006157407.tif 000007